(57)【特許請求の範囲】
【請求項１】
放送コンテンツと、放送する番組の番組情報を受信する受信手段と、
前記番組情報を抽出する番組情報抽出手段と、
電源オフ時間を選択するための電源オフ時間選択手段と、
電源オフを制御する制御手段を備えた放送受信装置であって、
前記制御手段は、前記電源オフ時間選択手段で選択された電源オフ時間と前記番組情報抽出手段で抽出した番組情報の番組終了時刻に基づいて電源オフし、
前記制御手段は、ユーザによって電源オフの制御を行う条件設定がなされ、
前記電源オフ時間選択手段は、前記電源オフ時間選択手段で選択された前記電源オフ時間を経過し、かつユーザが視聴している番組の前記番組終了時刻になったとき、電源オフを行う選択肢を備え、
前記制御手段は、
前記電源オフ時間選択手段により選択された電源オフ時間を経過後、
ユーザが視聴している番組の前記番組終了時刻を確認し、該確認された前記番組終了時刻に基づいて電源オフを行い、
前記制御手段は、
当該放送受信装置に対し操作が行われない無操作時間を設定し、設定した前記無操作時間を経過したときに、このまま番組を見続ける、視聴中の番組終了後に電源オフする、今すぐ電源をオフするのいずれかの設定タイプが選択されたか、またはいずれかの前記設定タイプも選択されていないかを判定し、このまま番組を見続ける前記設定タイプが選択されたときには電源オフは行わないようにし、視聴中の番組終了後に電源オフする前記設定タイプが選択されたときには視聴中の番組終了後に電源オフを行い、今すぐ電源をオフする前記設定タイプが選択されたときには今すぐ電源オフを行い、いずれの前記設定タイプも選択されないときには視聴中の番組終了後に電源オフを行う無操作電源オフ選択手段を備えることを特徴とする放送受信装置。
【請求項２】
前記制御手段は、
前記無操作電源オフ選択手段により電源オフを選択したときに、
前記無操作時間を経過後、
ユーザが視聴している番組の前記番組終了時刻を確認し、該番組終了時刻に基づいて電源
オフを行うことを特徴とする請求項１に記載の放送受信装置。
【請求項３】
前記制御手段は、
予め視聴予約した番組の前記番組終了時刻となったときに、
電源オフするかしないかを選択するための視聴予約番組終了電源オフ選択手段を備え、
視聴予約番組終了電源オフ選択手段により電源オフすることが選択され、
かつ視聴予約した番組の前記番組終了時刻になったとき電源オフすることを特徴とする請求項２に記載の放送受信装置。
【請求項４】
前記制御手段は、
視聴予約終了電源オフ選択手段により電源オフすることが選択され、
かつ視聴予約した前記番組終了時刻後に、
ユーザが視聴している番組の前記番組終了時刻を確認し、該番組終了時刻に基づいて電源
オフを行うことを特徴とする請求項３に記載の放送受信装置。
【発明の詳細な説明】
【技術分野】
【０００１】
本発明は、放送受信装置及び放送受信装置における電源オフ方法に係り、特に放送受信装置の電源消し忘れを防止し、省エネを行うことができる放送受信装置及び放送受信装置における電源オフ方法に関するものである。
【背景技術】
【０００２】
従来の放送受信装置には、タイマに設定された電源オフ時間の到来により電源をオフする電源オフタイマ、無操作時間が所定時間継続したとき電源をオフする電源オフタイマ、放送信号の番組情報である番組終了時刻が到来したとき電源をオフする電源オフタイマなどを設定することで、ユーザーが放送番組を視聴していないときの電源消し忘れを防止していた。例えば、特許文献１に開示された発明は、放送信号の番組情報から現在視聴している番組の終了時刻を判断し、番組終了時刻で電源オフを行うことができるようにしていた。また、特許文献２に開示された発明は、ＴＶモニタに電子番組表を表示し、ユーザがその電子番組表を用いて対話的に電源オフタイマの設定を行ない、設定した時刻で電源オフを行うことができるようにしていた。
【０００３】
【特許文献１】特開２０００−２６１７３７号公報
【特許文献２】特開２００２−３４４８４５号公報
【発明の開示】
【発明が解決しようとする課題】
【０００４】
しかしながら、タイマ設定時間による電源オフタイマや無操作時間による電源オフタイマによる電源オフでは、番組の放送開始時刻が変更された場合に番組の途中で電源オフとなり、無操作時間による電源オフタイマでは長時間放送される番組を視聴している途中で電源オフしてしまう問題があった。また、上記の特許文献１に記載された従来技術は、現在視聴している番組の終了時刻でしか電源オフを行うことができない。このため、現在視聴している番組終了後に放送される番組を視聴するように変更する時は、タイマ設定時間による電源オフタイマの設定を解除し、次の番組を視聴している時に電源オフタイマを設定しなければならなかった。また、上記の特許文献２に記載された従来技術は、電子番組表から予約した番組の終了時刻でしか電源オフタイマを設定することができない。このため電源オフ時刻を変更する時は、ＴＶモニタに電子番組表を表示させてユーザが先に設定した番組の終了時刻である電源オフタイマを解除し、その後に新たに電子番組表を用いてユーザが設定した番組の終了時刻を電源オフタイマに設定しなければならなかった。
【０００５】
本発明の目的は、タイマ設定時間による電源オフタイマ、無操作時間による電源オフタイマ、放送信号の番組情報である番組終了時刻による電源オフタイマを組み合わせて設定することで、番組終了時に自動的に電源をオフするユーザに使い勝手のよい電源オフタイマを提供し、これにより省エネ効果をより向上させることができる放送受信装置及び放送受信装置における電源オフ方法を提供することである。
【課題を解決するための手段】
【０００６】
本発明の放送受信装置は、放送コンテンツと、放送する番組の番組情報を受信する受信手段と、前記番組情報を抽出する番組情報抽出手段と、電源オフ時間を選択するための電源オフ時間選択手段と、電源オフを制御する制御手段を備えた放送受信装置であって、前記制御手段は、前記電源オフ時間選択手段で選択された電源オフ時間と前記番組情報抽出手段で抽出した番組情報の番組終了時刻に基づいて電源オフし、前記制御手段は、ユーザによって電源オフの制御を行う条件設定がなされ、前記電源オフ時間選択手段は、前記電源オフ時間選択手段で選択された前記電源オフ時間を経過し、かつユーザが視聴している番組の前記番組終了時刻になったとき、電源オフを行う選択肢を備え、前記制御手段は、前記電源オフ時間選択手段により選択された電源オフ時間を経過後、ユーザが視聴している番組の前記番組終了時刻を確認し、該確認された前記番組終了時刻に基づいて電源オフを行い、前記制御手段は、当該放送受信装置に対し操作が行われない無操作時間を設定し、設定した前記無操作時間を経過したときに、このまま番組を見続ける、視聴中の番組終了後に電源オフする、今すぐ電源をオフするのいずれかの設定タイプが選択されたか、またはいずれかの前記設定タイプも選択されていないかを判定し、このまま番組を見続ける前記設定タイプが選択されたときには電源オフは行わないようにし、視聴中の番組終了後に電源オフする前記設定タイプが選択されたときには視聴中の番組終了後に電源オフを行い、今すぐ電源をオフする前記設定タイプが選択されたときには今すぐ電源オフを行い、いずれの前記設定タイプも選択されないときには視聴中の番組終了後に電源オフを行う無操作電源オフ選択手段を備えることを特徴としている。
また、前記制御手段は、前記無操作電源オフ選択手段により電源オフを選択したときに、前記無操作時間を経過後、ユーザが視聴している番組の前記番組終了時刻を確認し、該番組終了時刻に基づいて電源オフを行うことを特徴としている。
また、前記制御手段は、予め視聴予約した番組の前記番組終了時刻となったときに、電源オフするかしないかを選択するための視聴予約番組終了電源オフ選択手段を備え、視聴予約番組終了電源オフ選択手段により電源オフすることが選択され、かつ視聴予約した番組の前記番組終了時刻になったとき電源オフすることを特徴としている。
また、前記制御手段は、視聴予約終了電源オフ選択手段により電源オフすることが選択され、かつ視聴予約した前記番組終了時刻後に、ユーザが視聴している番組の前記番組終了時刻を確認し、該番組終了時刻に基づいて電源オフを行うことを特徴としている。
【発明の効果】
【０００７】
本発明によれば、タイマ設定時間による電源オフタイマまたは無操作時間による電源オフタイマ(以下無操作電源オフタイマという)と放送信号の番組情報である番組終了時刻による電源オフタイマを組み合わせて設定することで、タイマ設定時間による電源オフタイマ又は無操作電源オフタイマの設定時間経過後における番組終了時に自動的に電源オフする、ユーザに使い勝手のよい電源オフタイマを提供することができる。
【発明を実施するための最良の形態】
【０００８】
以下、本発明の実施形態について図面を参照して説明する。
（第１の実施の形態）
図１は、本発明の第１の実施形態である放送受信装置の主要な構成を示す機能ブロック図である。この放送受信装置１は、放送コンテンツと番組情報とを各放送局から受信する。ここでは、放送コンテンツは映像及び音声からなり、また、番組情報はＥＰＧ（Ｅlectronic Program Guide）と呼ばれる電子番組表を生成するデータである。この番組情報には、各放送番組について放送局、放送日、開始時刻及び終了時刻を表すデータが含まれる。
【０００９】
図１の放送受信装置１は、アンテナ２で受信された放送電波を映像信号及び音声信号に変換し、ＴＶモニタ３はこれら映像信号及び音声信号に基づき映像及び音声を出力する。ユーザはリモコン４を用いて放送受信装置１を遠隔操作して、電源オフ操作、電源オフタイマ、無操作電源オフタイマ、電子番組表の表示、表示した電子番組表から視聴番組の予約を放送受信装置１に行わせることができる。
【００１０】
以下、図１の放送受信装置１の構成について説明する。
【００１１】
図１に示すデジタルチューナ１１(受信手段)は、アンテナ２にて受信される放送電波を復調してトランスポートストリームパケット（ＴＳパケット）を出力する。デジタルチューナ１１はこれらの放送電波を適宜選択的に復調してＴＳパケットをＴＳデコーダ１２(番組情報抽出手段)に出力する。ＴＳデコーダ１２は、このＴＳパケットから所望の放送番組に関する映像データ及び音声データを抽出する。抽出された映像データ及び音声データは、ＭＰＥＧ−２によって符号化されているデジタルデータである。音声処理部１３は符号化された音声データを復号化し、また、映像処理部１４はこの符号化された映像データを復号化する。さらに、ＴＳパケットには番組情報が含まれており、ＴＳデコーダ１２はＴＳパケットから番組情報を抽出する。
【００１２】
表示処理部１５は、映像処理部１４にて復号化された映像データに、ＯＳＤ処理部１６にて生成されるＯＳＤ表示のためのデータを表示処理部１５で重ね合わせた後、その重ね合わせ後の映像データをテレビ信号に変換してＴＶモニタ３に出力する。このＯＳＤ表示には、電源オフタイプ選択画面、電子番組表の表示等が含まれる。音声処理部１３にて復号化された音声データを基に、ＴＶモニタ３に設けられたスピーカから音声が出力される。
【００１３】
マイコン１７(制御手段)は、ユーザによるリモコン４の操作に基づき放送チャンネルを切り替えながら、これら各部１１〜１６の動作を制御するようになっている。加えて、マイコン１７は、ユーザによるリモコン４の操作に基づく電源オフ操作、電源オフタイマのタイプ設定や電源オフ時間設定、無操作電源オフタイマのタイプ設定、電子番組表の表示、表示した電子番組表から視聴番組予約の操作を受け付け処理等をすることができる。メモリ１８はシステムコントローラの実行するプログラムやこのプログラムにて用いられるデータを一時的に記憶し、また放送受信装置１の基本機能を実現するためのプログラムを記憶している。ＨＤＤ１９は、ＴＳデコーダ１２にて抽出された番組情報、及びマイコン１７が実行するプログラム等を記憶するハードディスクドライブである。
【００１４】
リモコン４は、図２に示すようにリモコン４に設けられた操作ボタンに対するユーザの操作に応じて赤外線による操作信号を送信し、リモコン受光部２０はこの操作信号を受光するようになっている。電源２１は、電源が必要な箇所へ電源を供給する装置であり、電源制御部２２により電源の供給が制御される。以上の各部１１〜２２はシステムバス２３により接続されている。
【００１５】
図２は放送受信装置１のリモコン４による操作を説明するためのリモコン４の拡大図である。リモコン４には主に操作ボタン４１〜４７が設けられている。ユーザがこれら操作ボタン４１〜４７のいずれかを操作すると、放送受信装置１はその操作した操作ボタンに応じた動作を行う。４１は放送受信装置１の電源をオン及びオフするための電源ボタンである。４２は電源オフタイプをユーザに選択させる電源オフタイプ選択画面を表示させるためのボタンである。４３は現在視聴している番組の終了時刻に電源オフを行うオフ設定ボタンである。４４はメニュー画面の表示を行うメニューボタンである。４５は電子番組表を表示させる番組表ボタンである。４６ａ〜４６ｄはＴＶモニタ３にＯＳＤ表示された選択項目を選択するためのカーソルを上下左右へと移動させるためのカーソル移動ボタンである。４７はこのような選択項目を確定するための決定ボタンである。
【００１６】
図３は、本発明の第１の実施形態における、時間による電源オフと放送信号の番組情報により電源オフを行う電源オフタイマ処理の流れを示すフローチャートである。図３のフローチャートに示すステップ順に基づいて以下説明する。
【００１７】
時間と放送信号の番組情報により電源オフタイマを設定し電源オフを行う電源オフタイマ処理は、放送受信装置の電源が投入されユーザがリモコン４から電源オフタイマの操作を行うと、マイコン１7より処理が開始され、順次マイコン１７により処理が行なわれる。
【００１８】
リモコン４の図２のオフタイマボタン４２を操作するとリモコン受光部２０が信号を受光し、マイコン１７に通知する。マイコン１７は、電源オフタイマの操作であると判断するとＯＳＤ処理部１６に図４に示す電源オフタイプ選択画面を表示する指示を行い、ＯＳＤ処理部１６はＴＶモニタ３に電源オフタイプ選択画面を表示する(ステップＡ１)。
【００１９】
ユーザが電源オフタイプ選択画面から電源オフのどのタイプが選択されたかチェックし、選択されていれば選択された設定タイプの電源オフ時刻を決定するステップＡ７の処理を行い、選択されていなければ現在視聴している番組の終了時刻に電源オフを行うオフ設定ボタン４３が操作されたかチェックするステップＡ３の処理を行う(ステップＡ２)。
【００２０】
現在視聴している番組の終了時刻に電源オフを行う図２に示すオフ設定ボタン４３の信号を受光部２０が受光したかチェックする。オフ設定ボタン４３の操作がある場合は電源オフ設定タイプを設定するステップＡ５の処理を行い、オフ設定ボタン４３の操作がない場合は一定時間待ち状態とするステップＡ４の処理を行う(ステップＡ３)。
【００２１】
リモコン４のオフ設定ボタン４３の操作がない場合は、一定時間待ち状態としてから再度設定タイプの選択があるかをチェックするステップＡ２に戻る（ステップＡ４）。
【００２２】
リモコン４のオフ設定ボタン４３の操作がある場合は、現在視聴している番組終了時刻に電源オフを行う設定タイプである２を設定タイプとしてメモリに記憶する（ステップＡ５）。
【００２３】
現在視聴している番組の終了時刻をＴＳデコーダ１２が抽出したＴＳパケットの番組情報から取り出し、電源オフ時刻としてメモリに記憶し、ステップＡ１１に進む（ステップＡ６）。
【００２４】
ステップＡ７でユーザが電源オフタイプ選択画面から選択した電源オフの設定タイプをＯＳＤ処理部から入力する。入力した設定タイプをチェックし、各々の設定タイプの電源オフ時刻を決定する処理に分ける(ステップＡ７)。設定タイプをチェックした結果、設定タイプが１であれば設定タイプ１の電源オフ時刻を決定するステップＡ８の処理を行い、設定タイプが２であれば設定タイプ２の電源オフ時刻を決定するステップＡ９の処理を行い、設定タイプが３であれば設定タイプ３の電源オフ時刻を決定するステップＡ１０の処理を行う（ステップＡ７）。
【００２５】
設定タイプ１は、現在時刻から選択された電源オフ時間が経過したときに電源オフする設定タイプであるので、図４に示すユーザが選択した電源オフ時間をＯＳＤ処理部から入力する(ステップＡ８)。入力した電源オフ時間と現在時刻から電源オフ時刻を求め、電源オフ時刻としてメモリに記憶し、ステップＡ１１に進む(ステップＡ８)。
【００２６】
設定タイプが２は、現在視聴している番組終了時刻に電源オフする設定タイプであるので、現在視聴している番組の終了時刻をＴＳデコーダ１２が抽出したＴＳパケットの番組情報から取り出し、電源オフ時刻としてメモリに記憶し、ステップＡ１１に進む（ステップＡ９）。
【００２７】
設定タイプが３は、現在時刻から選択された電源オフ時間が経過したときに視聴している番組終了時刻に電源オフする設定タイプであるので、図４に示すユーザが選択した電源オフ時間をＯＳＤ処理部から入力する(ステップＡ８)。入力した電源オフ時間と現在時刻から電源オフ時刻を求め、その電源オフ時刻に視聴している番組終了時刻が電源オフ時刻となる。しかし、電源オフ時間と現在時刻から求めた電源オフ時刻まで番組終了時刻が求められないので、一時的な電源オフ時刻として求めた電源オフ時刻をメモリに記憶し、ステップＡ１１に進む（ステップＡ１０）。
【００２８】
ステップＡ８、ステップＡ９、ステップＡ１０で決定した電源オフ時刻をメモリから取り出し現在時刻と比較する。比較した結果、現在時刻が電源オフ時刻と等しいまたは大きい(現在時刻が電源オフ時刻となったか過ぎた)ときは設定タイプが３であるかをチェックするステップＡ１３の処理を行い、現在時刻が電源オフ時刻より小さい(現在時刻が電源オフ時刻を過ぎていない)ときは一定時間待ち状態とするステップＡ１２の処理を行う(ステップＡ１１)。
【００２９】
現在時刻が電源オフ時刻より小さいときは、一定時間待ち状態としてから再度現在時刻が電源オフ時刻と等しいまたは大きいかをチェックするステップＡ１１に戻る（ステップＡ１２）。
【００３０】
現在時刻が電源オフ時刻より大きいときは、更に設定タイプが３であるかのチェックを行う。設定タイプが３であれば、ステップＡ１０で一時的に決定した電源オフ時刻を現在視聴している番組の終了時刻に変更するステップＡ１５の処理を行い、設定タイプが３以外の場合は電源オフを行うステップＡ１４の処理を行う(ステップＡ１３)。
【００３１】
設定タイプが３以外の場合は、電源制御部２２に放送受信装置１の電源オフを行う通知をする(ステップＡ１４)。通知を受けた電源制御部２２が電源２１の電源オフを行うことで本処理は終了する(ステップＡ１４)。
【００３２】
設定タイプが３であれば、現在時刻から選択された電源オフ時間を経過したときに視聴している番組の番組終了時刻に電源オフする設定タイプである。ステップＡ１１のチェックで既に現在時刻から選択された電源オフ時間が経過しているので、現在視聴している番組の終了時刻をＴＳデコーダ１２が抽出したＴＳパケットの番組情報から取り出し、電源オフ時刻としてメモリに記憶する（ステップＡ１５）。
【００３３】
ステップＡ１５で決定した電源オフ時刻をメモリから取り出し現在時刻と比較する。比較した結果、現在時刻が電源オフ時刻と等しいまたは大きいときは電源オフを行うステップＡ１８の処理を行い、現在時刻が電源オフ時刻より小さいときは一定時間待ち状態とするステップＡ１７の処理を行う(ステップＡ１６)。
【００３４】
現在時刻が電源オフ時刻より小さいときは、一定時間待ち状態としてから再度現在時刻が電源オフ時刻と等しいまたは大きいかをチェックするステップＡ１６に戻る（ステップＡ１７）。
【００３５】
現在時刻が電源オフ時刻より大きいときは、電源制御部２２に放送受信装置１の電源オフを行う通知をする(ステップＡ１８)。通知を受けた電源制御部２２が電源２１の電源オフを行うことで本処理は終了する(ステップＡ１８)。
【００３６】
このような第１の実施形態によれば、時間による電源オフタイマと放送信号の番組情報による電源オフタイマを組み合わせて設定することで、ユーザに使い勝手のよい電源オフタイマを提供することができる。これにより、ユーザがより便利な電源オフタイマを使用することで、放送受信装置の電源消し忘れをなくし省エネ効果をより向上させることができる放送受信装置及び放送受信装置における電源オフ方法を提供することができる。
【００３７】
なお、上記第１の実施形態においてユーザが視聴している番組の番組終了時刻を電源オフ時刻とし、その電源オフ時刻を経過するまでの間にユーザが視聴している番組を変更した場合には、ユーザが視聴している番組の終了時刻に電源オフ時刻を変更することができる上記第１の実施形態におけるその他実施例を図５に示す。図５では実施例１の図４に示すステップＡ１２の後に、設定タイプが２であるかのチェックを行うステップＡ１２＊1と更に設定タイプが２の場合は現在視聴している番組の終了時刻をＴＳデコーダ１２が抽出したＴＳパケットの番組情報から取り出し、電源オフ時刻とするステップＡ１２＊２を追加する。更に、図５では上記実施例１の図４に示すステップＡ１７の後に電源オフ時刻を現在視聴している番組の終了時刻に変更するステップＡ１７＊の処理を追加する。このようにステップを追加することで、当初決定した電源オフ時刻を経過するまでの間にユーザが視聴している番組を変更した場合でも、変更した番組の終了時刻に電源オフを行うことができる。
【００３８】
（第２の実施の形態）
第２の実施形態の放送受信装置の機能ブロック図は、第１の実施形態である図１の放送受信装置機能ブロック図と同じである。無操作時間と放送信号の番組情報により電源オフタイマを設定し電源オフを行う無操作電源オフタイマ処理は、ＴＶモニタ３に表示される無操作時間設定画面からユーザが電源オフまでの無操作時間を設定すると、マイコン１7より処理が開始され、順次マイコン１７により処理が行なわれる。無操作時間を設定する無操作時間設定画面は、放送受信装置の電源が投入されユーザがリモコン４の図２のメニューボタン４４を操作するとＴＶモニタ３にメニュー画面を表示し、更にメニュー画面をリモコン４の図２のカーソル移動ボタン４６a、４６b、４６c、４６dと決定ボタン４７の操作により、ＴＶモニタ３に表示される。
【００３９】
図６は、本発明の第２の実施形態における無操作時間をカウントする無操作時間カウンタにより、無操作時間のカウントが開始されてからの無操作電源オフタイマ処理の流れを示すフローチャートである。図６のフローチャートに示すステップ順に基づいて以下説明する。
【００４０】
無操作時間カウンタがカウントしている時間が、ユーザが設定した無操作時間を経過しているかをチェックする(ステップＢ１)。チェックした結果、ユーザが設定した無操作時間を経過していないときは一定時間待ち状態とするステップＢ２の処理を行い、経過しているときは図７に示す無操作電源オフタイプ選択画面を表示するステップＢ３の処理を行う(ステップＢ１)。
【００４１】
無操作時間カウンタがカウントしている時間が、ユーザが設定した無操作時間を経過していないときは、一定時間待ち状態としてから再度無操作時間を経過しているかをチェックするステップＢ１に戻る（ステップＢ２）。
【００４２】
無操作時間カウンタがカウントしている時間が、ユーザが設定した無操作時間を経過しているときは、ＯＳＤ処理部１６に無操作電源オフタイプ選択画面を表示する指示を行い、ＯＳＤ処理部１６はＴＶモニタ３に無操作電源オフタイプ選択画面を表示する(ステップＢ３)。
【００４３】
ユーザが無操作電源オフタイプ選択画面からこのまま番組を見続ける設定タイプ１や視聴中の番組終了後に電源オフする設定タイプ２や今すぐ電源をオフする設定タイプ３を選択したかのチェックを行ない、選択していれば設定タイプが１であるかをチェックするステップＢ６の処理を行い、選択していなければ視聴している番組終了後に電源をオフする設定タイプである設定タイプを２とするステップＢ５の処理を行う(ステップＢ４)。
【００４４】
ユーザが無操作電源オフタイプ選択画面から一定時間内に設定タイプを選択していなければ、視聴している番組終了後に電源をオフするようにする設定タイプ２を設定タイプとしてメモリ１８に記憶する(ステップＢ５)。
【００４５】
ユーザが無操作電源オフタイプ選択画面から選択した設定タイプまたは選択しなかったので設定された設定タイプについて、このまま番組を見続ける設定タイプ１であるかをチェックする(ステップＢ６)。チェックした結果、設定タイプ１であれば無操作時間のカウンタをリセットするステップＢ７の処理を行い、設定タイプ１でなければ更に設定タイプ２であるかをチェックするステップＢ８の処理を行う(ステップＢ６)。
【００４６】
ユーザが選択した設定タイプ１は、このまま番組を見続ける設定タイプであるので、無操作時間のカウンタをリセットし、再び無操作時間が経過したかをチェックするステップＢ1に戻る(ステップＢ７)。
【００４７】
視聴中の番組終了後に電源オフする設定タイプ２や今すぐ電源をオフする設定タイプ３の設定タイプであるときは、更に設定タイプが設定タイプ２であるかをチェックする(ステップＢ８)。設定タイプが２であれば電源オフ時刻を現在視聴している番組の終了時刻に変更するステップＢ１０の処理を行い、設定タイプが２でなければ今すぐ電源をオフする設定タイプ３となるので、電源オフするステップＢ９の処理を行う(ステップＢ８)。
【００４８】
設定タイプが３の場合は、電源制御部２２に放送受信装置１の電源オフを行う通知をする
(ステップＢ９)。通知を受けた電源制御部２２が電源２１の電源オフを行うことで本処理は終了する(ステップＢ９)。
【００４９】
設定タイプが２は、現在視聴している番組終了時刻に電源オフする設定タイプであるので、現在視聴している番組の終了時刻をＴＳデコーダ１２が抽出したＴＳパケットの番組情報から取り出し、電源オフ時刻としてメモリ１８に記憶する（ステップＢ１０）。
【００５０】
ステップＢ１０で決定した電源オフ時刻をメモリから取り出し現在時刻と比較する。比較した結果、現在時刻が電源オフ時刻と等しいまたは大きい(現在時刻が電源オフ時刻となったか過ぎた)ときは電源オフを行うステップＢ１３の処理を行い、現在時刻が電源オフ時刻より小さい(現在時刻が電源オフ時刻を過ぎていない)ときは一定時間待ち状態とするステップＢ１２の処理を行う(ステップＢ１１)。
【００５１】
現在時刻が電源オフ時刻より小さいときは、一定時間待ち状態としてから再度現在時刻が電源オフ時刻と等しいまたは大きいかをチェックするステップＢ１１に戻る（ステップＢ１２）。
【００５２】
現在時刻が電源オフ時刻より大きいときは、電源制御部２２に放送受信装置１の電源オフを行う通知をする(ステップＢ１３)。通知を受けた電源制御部２２が電源２１の電源オフを行うことで本処理は終了する(ステップＢ１３)。
【００５３】
このような第２の実施形態によれば、無操作時間による電源オフタイマと放送信号の番組情報による電源オフタイマを組み合わせて設定することで、ユーザに使い勝手のよい電源オフタイマを提供することができる。これにより、ユーザがより便利な電源オフタイマを使用することで、放送受信装置の電源消し忘れをなくし省エネ効果をより向上させることができる放送受信装置及び放送受信装置における電源オフ方法を提供することができる。
【００５４】
なお、上記第２の実施形態において図６に示すステップＢ１２の後に電源オフ時刻を現在視聴している番組の終了時刻に変更するステップを追加することで、ユーザが視聴している番組の番組終了時刻を経過するまでの間にユーザが視聴している番組を変更した場合でも、変更した番組の終了時刻に電源オフを行うことができる。
【００５５】
（第３の実施の形態）
第３の実施形態の放送受信装置の機能ブロック図は、第１の実施形態である図１の放送受信装置機能ブロック図と同じである。電子番組表から予約する視聴予約番組終了時刻に電源オフタイマを設定し電源オフを行う電源オフタイマ(以下視聴予約番組終了電源オフタイマ)処理は、ＴＶモニタ３に表示される電子番組表画面からユーザが視聴予約する番組を決定すると、マイコン１7より処理が開始され、順次マイコン１７により処理が行なわれる。視聴番組予約の決定は、放送受信装置の電源が投入されユーザがリモコン４の図２の番組表ボタン４５を操作するとＴＶモニタ３に電子番組表画面を表示し、更に電子番組表画面をリモコン４の図２のカーソル移動ボタン４６a、４６b、４６c、４６dで操作し視聴予約する番組を表示し、更に決定ボタン４７の操作により行われる。
【００５６】
図８は、本発明の第３の実施形態における電子番組表から予約した視聴番組の終了時刻に電源オフを行う電源オフタイマ(以下視聴予約番組終了電源オフタイマ)処理の流れを示すフローチャートである。図８のフローチャートに示すステップ順に基づいて以下説明する。
【００５７】
リモコン４の図２の決定ボタン４７を操作するとリモコン受光部２０が信号を受光し、マイコン１７に通知する。視聴予約番組終了の電源オフタイプの操作であると判断するとＯＳＤ処理部１６に図９に示す視聴予約番組終了電源オフタイプ選択画面を表示する指示を行い、ＯＳＤ処理部１６はＴＶモニタ３に視聴予約番組終了電源オフタイプ選択画面を表示する(ステップＣ１)。
【００５８】
ユーザが視聴予約番組終了電源オフタイプ選択画面から電源オフの設定タイプを選択したかのチェックを行う(ステップＣ２)。チェックした結果、選択していなければ一定時間待ち状態とするステップＣ３の処理を行い、選択していれば電源をオフする設定タイプである設定タイプが２であるかをチェックするステップＣ４の処理を行う(ステップＣ２)。
【００５９】
ユーザが電源オフの設定タイプを選択していなければ、一定時間待ち状態としてから再度設定タイプの選択があるかをチェックをするステップＣ２に戻る（ステップＣ３）。
【００６０】
視聴予約番組終了電源オフの設定タイプが選択されたときは、更に選択された設定タイプが電源をオフする設定タイプ２であるかチェックする(ステップＣ４)。設定タイプが２であれば電源オフ時刻を視聴予約した番組の終了時刻に変更するステップＣ５の処理を行い、設定タイプが２でなければ、ユーザがそのまま番組を見続ける設定タイプ１となるので、電源オフ時刻を決定せずに本処理を終了する(ステップＣ４)。
【００６１】
設定タイプ２は、視聴予約した番組の終了時刻に電源オフする設定タイプであるので、視聴予約した番組の終了時刻をＴＳデコーダ１２が抽出したＴＳパケットの番組情報から取り出し、電源オフ時刻としてメモリ１８に記憶する（ステップＣ５）
【００６２】
ステップＣ５で決定した電源オフ時刻をメモリから取り出し現在時刻と比較する。比較した結果、現在時刻が電源オフ時刻と等しいまたは大きい(現在時刻が電源オフ時刻となったか過ぎた)ときは電源オフを行うステップＣ８の処理を行い、現在時刻が電源オフ時刻より小さい(現在時刻が電源オフ時刻を過ぎていない)ときは一定時間待ち状態とするステップＣ７の処理を行う(ステップＣ６)。
【００６３】
現在時刻が電源オフ時刻より小さいときは、一定時間待ち状態としてから再度現在時刻が電源オフ時刻と等しいまたは大きいかをチェックするステップＣ６に戻る（ステップＣ７）。
【００６４】
現在時刻が電源オフ時刻より大きいときは、電源制御部２２に放送受信装置１の電源オフを行う通知をする(ステップＣ８)。通知を受けた電源制御部２２が電源２１の電源オフを行うことで本処理は終了する(ステップＣ８)。
【００６５】
このような第３の実施形態によれば、視聴予約した番組終了時刻に電源オフタイマを設定することで、ユーザに使い勝手のよい電源オフタイマを提供することができる。これにより、ユーザがより便利な電源オフタイマを使用することで、放送受信装置の電源消し忘れをなくし省エネ効果をより向上させることができる放送受信装置及び放送受信装置における電源オフ方法を提供することができる。
【００６６】
なお、上記第３の実施形態において図８に示すステップＣ７の後に電源オフ時刻を現在視聴している番組の終了時刻に変更するステップを追加することで、ユーザが視聴予約した番組の番組終了時刻を経過するまでの間にユーザが視聴している番組を変更した場合でも、変更した番組の終了時刻に電源オフを行うことができる。
【産業上の利用可能性】
【００６７】
本発明は、放送受信装置及び放送受信装置における電源オフ方法に好適であるが、放送受信装置及び放送受信装置における電源オフ方法に限られるものではない。
【図面の簡単な説明】
【００６８】
【図１】本発明の第１の実施形態である放送受信装置の機能ブロック図
【図２】放送受信装置のリモコンによる操作を説明するためのリモコンの一例を示す図
【図３】電源オフタイマの処理を示すフローチャート
【図４】電源オフタイプ選択画面の一例を示す図
【図５】電源オフタイマの処理のその他実施例の処理を示すフローチャート
【図６】本発明の第２の実施形態である無操作オフタイマの処理を示すフローチャート
【図７】無操作電源オフタイプ選択画面の一例を示す図
【図８】本発明の第３の実施形態である視聴予約番組終了電源オフタイマの処理を示すフローチャート
【図９】視聴予約番組終了電源オフタイプ選択画面の一例を示す図
【符号の説明】
【００６９】
１・・・放送受信装置
２・・・アンテナ
３・・・ＴＶモニタ
４・・・リモコン
１１・・・デジタルチューナ
１２・・・ＴＳデコーダ
１３・・・音声処理部
１４・・・映像処理部
１５・・・表示処理部
１６・・・ＯＳＤ処理部
１７・・・マイコン
１８・・・メモリ
１９・・・ＨＤＤ
２０・・・リモコン受光部
２１・・・電源
２２・・・電源制御部
２３・・・システムバス
【図１】
0004987631.tif 000002
【図２】
0004987631.tif 000003
【図３】
0004987631.tif 000004
【図４】
0004987631.tif 000005
【図５】
0004987631.tif 000006
【図６】
0004987631.tif 000007
【図７】
0004987631.tif 000008
【図８】
0004987631.tif 000009
【図９】
0004987631.tif 000010